(57)【要約】  本開示は、複数の強化ガラスパネルのうちのいずれかの応力情報を検索するモバイル走査装置を開示する。本装置は、複数の強化ガラスパネルのうちのいずれかの表面に設けられた識別コードを撮像する撮像装置と、撮像された画像を処理し、識別コードを認識する画像プロセッサと、ガラスパネル生産情報データベースから識別コードに対応する応力情報を検索するようにモバイル走査装置に指示する中央プロセッサと、検索された応力情報を表示する表示装置を備える。応力情報は、複数の強化ガラスパネルを製造する生産ライン上で処理されている複数のガラスパネルのそれぞれの表面における異なる試験位置で応力を試験する少なくとも一つの応力センサを介して得られた。
2020530166.tif 000002
【特許請求の範囲】
【請求項１】
複数の強化ガラスパネルのうちのいずれかの応力情報を検索するモバイル走査装置であって、
前記複数の強化ガラスパネルのうちの一つの表面に設けられた、前記複数の強化ガラスパネルのそれぞれに固有である識別コードを撮像する撮像装置と、
前記撮像装置に結合されて、前記撮像された画像を処理し、前記識別コードを認識する画像プロセッサと、
前記画像プロセッサに結合されて、ガラスパネル生産情報データベースから前記識別コードに対応する応力情報を検索するように前記モバイル走査装置に指示する中央プロセッサと、
前記中央プロセッサに結合されて前記検索された応力情報を表示する表示装置と、を備え、
前記応力情報は、前記複数の強化ガラスパネルを製造する生産ライン上で処理されている複数のガラスパネルのそれぞれの表面における異なる試験位置で応力を試験する少なくとも一つの応力センサを介して得られる、モバイル走査装置。
【請求項２】
前記中央プロセッサは、
製品標準データベースから、前記モバイル走査装置の地理的位置情報に基づいて特定の地理的地域における強化ガラスパネルに対する要求応力が含まれた製品標準を検索し、
前記検索された製品標準を前記識別コードに対応する前記検索された応力情報と比較し、前記複数の強化ガラスパネルのうちのいずれかが前記製品標準に準拠するか否かを決定し、
前記比較の結果を表示するように前記表示装置に指示するようにさらに構成される、請求項１に記載のモバイル走査装置。
【請求項３】
複数の強化ガラスパネルのうちのいずれかの応力情報を検索するモバイル走査装置のための方法であって、
モバイル走査装置を介して、前記複数の強化ガラスパネルのうちのいずれかの表面に設けられた、前記複数の強化ガラスパネルのそれぞれに固有である識別コードを撮像するステップと、
前記識別コードを認識するように前記撮像された画像を処理するステップと、
ガラスパネル生産情報データベースから前記認識された識別コードに対応する応力情報を検索するように前記モバイル走査装置に指示するステップと、
前記検索された応力情報を前記モバイル走査装置に表示するステップと、を含み、
前記応力情報は、前記複数の強化ガラスパネルを製造する生産ライン上で処理されている複数のガラスパネルのそれぞれの表面における異なる試験位置で応力を試験する少なくとも一つの応力センサを介して得られた、方法。
【請求項４】
製品標準データベースから、前記モバイル走査装置の地理的位置情報に基づいて特定の地理的地域における強化ガラスパネルに対する要求応力が含まれた製品標準を検索するステップと、
前記検索された製品標準を前記認識された識別コードに対応する前記検索された応力情報と比較し、前記複数の強化ガラスパネルのうちのいずれかが前記製品標準に準拠するか否かを決定するステップと、
前記比較の結果を前記モバイル走査装置に表示するステップと、をさらに含む、請求項３に記載の方法。
【請求項５】
ガラスパネル生産ライン上の応力試験及び検索システムであって、
複数のガラスパネルのそれぞれの表面上に設けられ、前記複数のガラスパネルのそれぞれに固有である前記識別コードと、
強化ガラスパネルを製造する生産ライン上で処理されている前記複数のガラスパネルのそれぞれの前記表面における異なる試験位置で応力を試験し、前記応力情報を得る少なくとも一つの応力センサと、
前記少なくとも一つの応力センサを前記異なる試験位置に配置するセンサ制御器であって、前記少なくとも一つの応力センサを前記複数のガラスパネルのそれぞれの前記表面に平行な方向に沿って、そして、前記複数のガラスパネルのそれぞれの前記表面に垂直な方向に沿って移動させる、センサ制御器と、
前記識別コードに基づいて前記応力情報を格納するガラスパネル生産情報データベースと、を備え、
前記ガラスパネル生産情報データベースは、モバイル走査装置が前記識別コードを読み取り、検索要請を提出するときに、前記複数のガラスパネルのうちのいずれかの表面に設けられた識別コードに対応する応力情報を提供する、ガラスパネル生産ライン上の応力試験及び検索システム。
【請求項６】
前記識別コードは、２次元コード、バーコード、または文字列である、請求項５に記載のガラスパネル生産ライン上の応力試験及び検索システム。
【請求項７】
前記識別コードは、前記複数のガラスパネルのそれぞれの前記表面に印刷される、請求項５に記載のガラスパネル生産ライン上の応力試験及び検索システム。
【請求項８】
前記識別コードは、前記複数のガラスパネルのそれぞれの前記表面にレーザー印刷される、請求項５に記載のガラスパネル生産ライン上の応力試験及び検索システム。
【請求項９】
特定の地理的地域における強化ガラスパネルに対する要求応力を含む製品標準を提供する製品標準データベースと、
前記モバイル走査装置の地理的位置情報に基づいて前記製品標準を検索し、前記検索された製品標準を前記識別コードに対応する前記検索された応力情報と比較し、前記複数の強化ガラスパネルのうちのいずれかが前記製品標準に準拠するか否かを決定し、比較の結果を前記モバイル走査装置に返送するように前記製品標準データベースに結合される制御サーバをさらに備える、請求項５に記載のガラスパネル生産ライン上の応力試験及び検索システム。
【請求項１０】
ガラスパネル生産ライン上の応力試験及び検索方法であって、
複数のガラスパネルのそれぞれの表面に、前記複数のガラスパネルのそれぞれに固有である識別コードを設けるステップと、
前記複数のガラスパネルのそれぞれに対する前記識別コードを使用してガラスパネル生産情報データベースに記録を設定するステップと、
強化工程を使用して前記複数のガラスパネルのそれぞれを処理するステップと、
前記識別コードに基づいて処理情報を前記ガラスパネル生産情報データベースに格納するステップと、
少なくとも一つの応力センサを介して、前記複数のガラスパネルのそれぞれに対して応力試験を行って応力情報を導出するステップと、
前記識別コードを使用して前記応力情報を前記ガラスパネル生産情報データベースに格納するステップと、
コード読み取り装置を介して、前記複数のガラスパネルのうちのいずれかの前記表面の前記識別コードを読み取り、前記識別コードに基づいて応力情報を検索するステップであって、前記読み取りは、前記強化工程と応力試験が行われていた場所から遠く離れた位置で行われるステップと、を含む、ガラスパネル生産ライン上の応力試験及び検索方法。
【請求項１１】
前記検索された処理情報と応力試験情報を前記読み取りが行われる場所に限られたユーザインタフェースに表示するステップをさらに含む、請求項１０に記載のガラスパネル生産ライン上の応力試験及び検索方法。
【請求項１２】
製品標準データベースから、前記コード読み取り装置の地理的位置情報に基づいて製品標準を得るステップと、
前記得られた製品標準を前記識別コードに基づいて検索された前記応力情報と比較して前記複数のガラスパネルのうちのいずれかが前記製品標準に準拠するか否かを決定するステップと、
比較の結果を前記コード読み取り装置に返送するステップと、をさらに含む、請求項１０に記載のガラスパネル生産ライン上の応力試験及び検索方法。
【請求項１３】
ガラスパネル生産ライン上の応力試験装置であって、
前記ガラスパネル生産ライン上の応力試験装置を複数の強化ガラスパネルを製造する生産ラインのコンベア付近の所定の試験位置に固定させる支持フレームと、
前記生産ライン上で処理されている前記複数の強化ガラスパネルのそれぞれに関する応力情報を検出する応力センサ、
前記応力センサ及び／または前記複数の強化ガラスパネルのそれぞれの表面に屈折流体を噴霧する屈折流体噴霧器、及び
前記応力センサ及び前記屈折流体噴霧器を設けるためのプラットフォームを含む、前記ガラスパネル応力試験モジュールと、
前記プラットフォームを前記コンベア移動方向に垂直な方向に沿って往復するように駆動させる水平駆動装置と、を備える、ガラスパネル生産ライン上の応力試験装置。
【請求項１４】
前記プラットフォームを駆動させる回転電気モータと、
前記回転電気モータの出力軸の端部に設けられる駆動ギアと、
前記駆動ギアに係合し、前記回転電気モータの前記出力軸に設けられる被動ギアと、をさらに含み、
前記プラットフォームは、その軸を中心に回転するように構成される、請求項１３に記載のガラスパネル生産ライン上の応力試験装置。
【請求項１５】
前記複数の強化ガラスパネルのそれぞれの前記表面から前記屈折流体を除去する除去部をさらに備え、前記除去部は、前記プラットフォーム上に設けられる、請求項１３に記載のガラスパネル生産ライン上の応力試験装置。
【請求項１６】
前記除去部は、さらに、
前記複数の強化ガラスパネルのそれぞれの前記表面から前記屈折流体を除去する除去ヘッドと、
前記除去ヘッドを駆動させる第１の電気モータと、
前記除去ヘッドを駆動させ、前記第１の電気モータを上昇させる第２のエレベータと、を備え、
前記除去ヘッドは、前記第１の電気モータの出力軸の径方向に沿って前記軸上に実装され、前記第１の電気モータは、前記第２のエレベータを介して前記プラットフォームに固定される、請求項１５に記載のガラスパネル生産ライン上の応力試験装置。
【請求項１７】
第１のエレベータをさらに備え、前記応力センサは、前記プラットフォーム上の前記第１のエレベータに設けられる、請求項１６に記載のガラスパネル生産ライン上の応力試験装置。
【請求項１８】
前記第１のエレベータは、サーボシリンダとバッファ機構を含み、前記サーボシリンダの一端部は、前記サーボシリンダのねじに固定される、請求項１７に記載のガラスパネル生産ライン上の応力試験装置。
【請求項１９】
前記バッファ機構は、
バッファ設置パネルと、
渦巻バネと、
その一端部が前記バッファ設置パネルに固定される案内棒と、
力センサ設置パネルと、
前記力センサ設置パネル上に実装されて前記渦巻バネの弾性力を測定する力センサと、
前記応力センサを固定させる応力センサ設置パネルと、を備え、
前記案内棒は、前記渦巻バネ、前記力センサ設置パネル、及び前記応力センサ設置パネルを下から上に通過する、請求項１８に記載のガラスパネル生産ライン上の応力試験装置。
【請求項２０】
前記屈折流体噴霧機構は、
前記複数の強化ガラスパネルのそれぞれの前記表面に前記屈折流体を噴霧する噴霧器と、
前記プラットフォームに設けられ、前記噴霧器を所定の軸に対して回転するように駆動させる回転シリンダと、を備え、
前記噴霧器は、前記回転シリンダ上に固定される、請求項１９に記載のガラスパネル生産ライン上の応力試験装置。
【請求項２１】
複数の強化ガラスパネルを製造する生産ライン上で処理された複数のガラス板のうちのいずれかであるガラス板と、
前記ガラス板の表面に設けられる第１の識別コードであって、それぞれ前記複数のガラス板のそれぞれの表面に設けられ、前記複数のガラス板のそれぞれに固有である第１の識別コードと、を備え、
前記複数の強化ガラスパネルのそれぞれに対する応力情報は、前記生産ライン上の前記複数の強化ガラスパネルのそれぞれの表面における異なる試験位置で応力を試験する少なくとも一つの応力センサを介して得られ、前記識別コードに基づいてガラスパネル生産情報データベースに格納されており、
前記強化ガラスパネルの応力情報は、モバイル走査装置を介して読み取られる前記第１の識別コードに基づいて検索される、強化ガラスパネル。
【請求項２２】
特定の地理的地域における前記強化ガラスパネルに対する要求応力を含む製品標準が前記モバイル走査装置の地理的位置情報に基づいて製品標準データベースから検索され、
前記検索された製品標準は、前記強化ガラスパネルの前記検索された応力情報と比較されて前記強化ガラスパネルが前記製品標準に準拠するか否かを決定し、
前記比較の結果が前記モバイル走査装置に表示される、請求項２１に記載の強化ガラスパネル。
【発明の詳細な説明】
【技術分野】
【０００１】
本開示の実施形態は、ガラスパネルディッププロセシングの分野に関し、特に、応力情報が含まれた生産ライン上の製造情報を有する強化（すなわち、テンパリングされた、または半テンパリングされた）ガラスパネルを製造するシステム及び方法、強化ガラスパネルの生産ライン上の応力検出及び処理のためのシステム及び方法、生産ライン上の製造情報を有する強化ガラスパネル、生産ライン上のガラスパネルの応力試験方法及び装置、及び／または生産ライン上の製造情報を検出、提供及び検索するシステム及び方法に関する。
【背景技術】
【０００２】
テンパリングされたガラスパネルは、プレストレスガラスパネルである強化ガラスパネルとしても知られている。通常、ガラスパネルは、ガラスパネルの表面上に圧縮応力を形成するため、化学的または物理的方法で処理される。外部応力を受けるとき、ガラスパネルの表面応力が先に相殺されてガラスパネルの負荷容量を増加させる。テンパリングされたガラスパネルは、建物のドアや窓、ガラスカーテンウォール及び電子機器などに広く具現される。
【０００３】
テンパリングされたガラスパネルの応力情報は、テンパリングされたガラスパネルが品質管理の閾値を通過するかどうかを特徴づける重要なパラメータである。ガラスパネルの生産中に、ガラスパネルの応力試験は、通常、ガラスパネルの品質を測定し、ガラスパネルの安全を確保するために行われる。従来の試験では、応力センサは選択された単一のガラスパネル上の所定の試験領域を手動で試験するために使用され、試験領域が人の経験に応じてランダムに選択される。試験される製品品質情報は、通常、ガラスパネルの波状度、たわみ（ｂｏｗ）、及び少なくとも一つの表面応力を含む。したがって、そのような手動試験は、ガラスパネルの圧縮及び引張応力と応力分布に関する正確な情報を得ることができない。また、生産されたそれぞれのガラスパネルに対する応力情報を得ることは不可能であり、その結果、すべてのガラスパネルの品質情報を追跡することは不可能である。品質事故が発生するとき、品質問題の原因を追跡することも不可能である。
【０００４】
グレージング角度表面偏光測定法（ｇｒａｚｉｎｇ  ａｎｇｌｅ  ｓｕｒｆａｃｅ  ｐｏｌａｒｉｍｅｔｒｙ；ＧＡＳＰ）と呼ばれる他の従来の試験では、光のビームがテンパリングされたガラスパネルの表面を照らすと、ガラスパネルの表面付近で、光はガラスパネルの表面に平行な方向に沿って短い距離にわたって移動する。表面上に応力のない場合、入射角が臨界角であるとき、すなわち、光が表面に沿って移動し、臨界角で反射するとき、内部全反射が達成される。ガラスパネルの表面上に応力が存在する場合に、内部全反射された入射光は、表面応力の影響を受けて複屈折を達成し、互いに直交する偏光を有して異なる方向に移動する光の２つのビームを生成する。これらの光の２つのビームは、撮像装置を介して容易に識別可能なストライプ（ｓｔｒｉｐｅ）の２つの群に変換されることができ、２つの群内のストライプの相対位置を比較することにより、ガラスパネルの表面応力が計算され得る。しかしながら、従来の試験では、生産ライン外の応力試験のみを行うことができる。ガラスパネルは、生産ラインから手動で除去される必要があり、これは、多くの時間と労力を無駄にして、低効率をもたらす。また、試験は、選択された単一のガラスパネルのみに対して行うことができる。また、ガラスパネルが一定の位置に固定される場合に、容易かつ迅速に変更され得ない一つの固定試験領域のみが存在して、多重−位置試験で応力分布を測定することを不可能にする。
【発明の概要】
【発明が解決しようとする課題】
【０００５】
上述の問題を解決する本開示の実施形態の一態様によると、複数のガラスパネルを試験し、応力試験情報を検索する例示的なガラスパネルの応力生産ライン上の試験システムが開示される。この例示的なガラスパネルの応力生産ライン上の試験システムは、複数のガラスパネルのそれぞれの表面上に設けられる識別コードを含み、識別コードは、複数のガラスパネルのそれぞれに固有である。システムは、また、生産ライン上の複数のガラスパネルのそれぞれの表面上の応力を試験する少なくとも一つの応力センサ、及び複数のガラスパネルのそれぞれの表面における異なる試験位置に少なくとも一つの応力センサを配置するセンサ制御器を含む。センサ制御器は、少なくとも一つの応力センサに機能的に接続される。センサ制御器は、少なくとも一つの応力センサを複数のガラスパネルのそれぞれの表面に平行な方向に沿って、そして、複数のガラスパネルのそれぞれの表面に垂直な方向に沿って移動させる。また、システムは、センサ制御器に接続されて少なくとも一つの応力センサを制御する制御サーバ、及び制御サーバに連結されるガラスパネル情報データベースを含み、少なくとも一つの応力センサから収集された生産ライン上の応力試験データは、識別コードを使用してデータベースに格納される。いくつかの実施形態において、システムは、さらに、ガラスパネル情報データベースに結合されるモバイル走査装置を含み、このモバイル走査装置は、複数のガラスパネルのうちのいずれかの表面上に設けられた識別コードを読み取り、データベースにアクセスしてガラスパネルに対する生産ライン上の応力試験データを検索し、ガラスパネルの応力が地域や国の安全要件を満たしているかどうかを検証するために検索された生産ライン上の応力試験データをモバイル走査装置の表示画面上に表示する。
【０００６】
本開示の実施形態の一態様によると、例示的な識別コードは、２次元コードでエンコードされる。本開示の実施形態の一態様によると、例示的な識別コードは、バーコードでエンコードされる。本開示の実施形態の一態様によると、例示的な識別コードは、複数のガラスパネルのそれぞれの表面上に印刷される。本開示の実施形態の一態様によると、例示的な識別コードは、複数のガラスパネルのそれぞれの表面上にレーザー印刷される。本開示の実施形態の一態様によると、モバイル走査装置は、スキャナを備えたモバイルスマートフォンである。
【０００７】
本開示の実施形態の一態様によると、複数のガラスパネル上で生産ライン上のガラスパネル応力試験及び情報検索のための例示的な方法が開示される。本方法は、複数のガラスパネルのそれぞれの表面上に、複数のガラスパネルのそれぞれに固有である識別コードを設けるステップと、複数のガラスパネルのそれぞれに対する識別コードを使用してガラスパネル情報データベース内に記録を設定するステップと、テンパリングまたは半テンパリング工程を使用して複数のガラスパネルのそれぞれを処理するステップと、識別コードを使用して処理情報をガラスパネル情報データベース内に格納するステップと、ガラスパネルが生産ライン上にある間、少なくとも一つの応力センサで複数のガラスパネルのそれぞれに対して応力試験を行うステップと、識別コードを使用して生産ライン上の応力試験情報をガラスパネル情報データベース内に格納するステップと、ガラスパネルの応力が地域や国の安全要件を満たしているかどうかを検証するため、複数のガラスパネルのうちのいずれかの表面上の識別コードを読み取って処理情報及び生産ライン上の応力試験情報を検索するステップと、を含み、走査は、上記工程及び生産ライン上の応力試験が行われた場所から遠く離れた位置で行われる。
【０００８】
本開示の実施形態の一態様によると、複数のガラスパネルのそれぞれの表面上に識別コードを設けることは、複数のガラスパネルのそれぞれの表面上に識別コードを印刷することにより達成される。本開示の実施形態の他の態様によると、複数のガラスパネルのそれぞれの表面上に識別コードを設けることは、複数のガラスパネルのそれぞれの表面上に識別コードをエッチングすることにより達成される。本開示の実施形態の一態様によると、ガラスパネル情報データベースは、クラウドアクセス可能な遠隔データベースである。本開示の実施形態の一態様によると、生産ライン上のガラスパネル応力試験及び情報検索のための方法は、さらに、検索された処理情報及び応力試験情報を読み取りが行われる場所に限られたユーザインタフェース上に表示するステップを含む。本開示の実施形態の一態様によると、読み取りは、スキャナを使用して識別コードを走査することにより行われる。
【０００９】
本開示の実施形態の一態様によると、生産ライン上で処理されている複数のガラスパネルの応力を試験するための、ガラスパネルテンパリング生産ラインのコンベアに近接して設けられる例示的な生産ライン上のガラスパネル応力試験装置が開示される。本装置は、ガラスパネル応力試験装置をガラスパネルテンパリング生産ラインのコンベアに近接した所定の試験位置に固定させる支持フレームと、ガラスパネル応力試験モジュールと、を含む。ガラスパネル応力試験モジュールは、さらに、複数のガラスパネルのそれぞれの応力情報を検出する応力センサと、応力センサ上に屈折流体を噴霧する屈折流体噴霧器と、応力センサ及び屈折流体噴霧器がプラットフォームと、プラットフォームをコンベア移動方向に垂直する方向に沿って往復するように駆動させる水平駆動装置と、を備える。
【００１０】
本開示の実施形態の一態様によると、例示的なガラスパネル応力試験装置は、さらに、プラットフォームを駆動する回転電気モータと、回転電気モータの出力軸の端部上に設けられる駆動ギアと、回転電気モータの出力軸上に設けられ、駆動ギアに噛み合う被動ギアと、を備える。いくつかの実施形態において、ガラスパネル応力試験モジュールのプラットフォームは、さらに軸を備え、軸を中心に回転するように構成される。
【００１１】
本開示の実施形態の一態様によると、例示的な生産ライン上のガラスパネル応力試験装置は、さらに、ガラスパネルの表面から屈折流体を除去する除去部を備える。除去部は、プラットフォームに設けられる。本開示の実施形態の一態様によると、除去部は、さらに、ガラスパネルの表面から屈折流体を除去する除去ヘッドと、除去ヘッドを駆動する第１の電気モータと、除去ヘッドを駆動し、第１の電気モータを上昇させる第２のエレベータと、を備える。除去ヘッドは、軸の半径方向に沿って第１の電気モータの出力軸上に実装され、第１の電気モータは、第２のエレベータを介してプラットフォームに固定される。
【００１２】
本開示の実施形態の一態様によると、例示的な生産ライン上のガラスパネル応力試験装置は、さらに、第１のエレベータを備え、応力センサがプラットフォーム上の第１のエレベータ上に設けられる。本開示の実施形態の一態様によると、第１のエレベータは、さらに、サーボシリンダ及びバッファ機構を備え、サーボシリンダの一端部は、サーボシリンダのねじに固定される。
【００１３】
本開示の実施形態の一態様によると、バッファ機構は、さらに、バッファ設置パネルと、渦巻バネと、案内棒と、センサ設置パネルと、応力センサと、応力センサ設置パネルと、を備える。いくつかの実施形態で、案内棒の一端部は、バッファ設置パネル上に固定され、案内棒は、また、渦巻バネを通過する。センサ設置パネルと応力センサ設置パネルを下から上にして、応力センサ設置パネル上に応力センサが固定され、応力センサは、渦巻バネの応力を測定するようにセンサ設置パネル上に実装される。
【００１４】
本開示の実施形態の一態様によると、屈折流体噴霧機構は、さらに、ガラスパネルの表面に屈折流体を噴霧する噴霧器、及び噴霧器を所定の軸に対して回転させるように駆動する回転シリンダを備える。噴霧器は、プラットフォームに設けられる回転シリンダに固定される。
【００１５】
本出願は、また、複数の強化ガラスパネルのうちのいずれかの応力情報を検索するモバイル走査装置を開示する。モバイル走査装置は、複数の強化ガラスパネルのうちのいずれかの表面上に設けられた、複数の強化ガラスパネルのそれぞれに固有である識別コードを撮像する撮像装置と、撮像装置に結合されて、撮像された画像を処理し、識別コードを認識する画像プロセッサと、画像プロセッサに結合されて、ガラスパネル生産情報データベースから識別コードに対応する応力情報を検索するようにモバイル走査装置に指示する中央プロセッサと、中央プロセッサに結合されて検索された応力情報を表示する表示装置を備え、応力情報は、複数の強化ガラスパネルを製造する生産ライン上で処理されている複数のガラスパネルのそれぞれの表面における異なる試験位置で応力を試験する少なくとも一つの応力センサを介して得られる。
【００１６】
いくつかの実施形態において、コード読み取り機の中央プロセッサは、さらに、製品標準データベースから、モバイル走査装置の地理的位置情報に基づいて特定の地理的地域における強化ガラスパネルに対する要求応力が含まれた製品標準を検索し、検索された製品標準を識別コードに対応する検索された応力情報と比較し、複数の強化ガラスパネルのいずれかが製品標準に準拠するか否かを決定し、比較の結果を表示するように表示装置に指示するように構成されてもよい。
【００１７】
本開示は、さらに、複数の強化ガラスパネルのうちのいずれかの応力情報を検索するモバイル走査装置のための例示的な方法を開示する。本方法は、モバイル走査装置を介して、複数の強化ガラスパネルのうちのいずれかの表面上に設けられた、複数の強化ガラスパネルのそれぞれに固有である識別コードを撮像するステップと、撮像された画像を処理して識別コードを認識するステップと、認識された識別コードに対応する応力情報をガラスパネル生産情報データベースから検索するようにモバイル走査装置に指示するステップと、検索された応力情報をモバイル走査装置に表示するステップと、を含み、応力情報は、複数の強化ガラスパネルを製造する生産ライン上で処理されている複数のガラスパネルのそれぞれの表面における異なる試験位置で応力を試験する少なくとも一つの応力センサを介して得られた。
【００１８】
本開示は、また、例示的な強化ガラスパネルを開示する。強化ガラスパネルは、複数の強化ガラスパネルを製造する生産ライン上で処理された複数のガラス板のうちのいずれかであるガラス板と、ガラス板の表面上に設けられる第１の識別コードであって、複数のガラス板のそれぞれの表面上に設けられる識別コードであり、複数のガラス板のそれぞれに固有である、前記第１の識別コードを備え、複数の強化ガラスパネルのそれぞれに対する応力情報は、生産ライン上での複数の強化ガラスパネルのそれぞれの表面における異なる試験位置で応力を試験する少なくとも一つの応力センサを介して得られ、識別コードに基づいてガラスパネル生産情報データベース内に格納されており、強化ガラスパネルの応力情報は、モバイル走査装置を介して読み取られる第１の識別コードに基づいて検索される。いくつかの実施形態において、特定の地理的地域における強化ガラスパネルに対する要求応力を含む製品標準がモバイル走査装置の地理的位置情報に基づいて製品標準データベースから検索され、検索された製品標準は、強化ガラスパネルの検索された応力情報と比較されて強化ガラスパネルが製品標準に準拠するか否かを決定し、比較の結果は、モバイル走査装置に表示される。
【図面の簡単な説明】
【００１９】
以下、本開示の例示的な実施形態における技術的な解決策をより明確に説明するため、実施形態を説明するのに必要な添付図面を簡単に説明する。下記説明における添付図面は、本開示のいくつかの例示的な実施形態を示すものに過ぎず、当業者は、創意的な努力をせずに、これらの添付図面から他の図面を依然として導き出すことができる。可能な場合、同一または類似した部分を指すために図面の全体にわたって同一の符号が使用される。
【００２０】
【図１】いくつかの実施形態による、強化ガラスパネルを製造し、かつガラスパネルの生産情報を生産ライン上で検出、照会、及び提供する例示的なシステムの概略図である。
【図２】いくつかの実施形態による、生産ライン上で得られたガラスパネル生産情報を照会する他の例示的なシステムの概略図である。
【図３】いくつかの実施形態による、ガラスパネルにいて応力情報を生産ライン上で検出する例示的なシステム及び方法の概略図である。
【図４】いくつかの実施形態による、応力センサがガラスパネルの下に位置するときに、ガラスパネルにいて応力情報を生産ライン上で検出する他の例示的なシステム及び方法の概略図である。
【図５】いくつかの実施形態による、複数の応力センサが実装されたときに、ガラスパネルにおいて応力情報を生産ライン上で検出するさらに他の例示的なシステム及び方法の概略図である。
【図６】いくつかの実施形態による、２次元コードを有する例示的なガラスパネルの概略図である。
【図７】いくつかの実施形態による、ガラスパネルを製造する例示的な方法を説明するフローチャートである。
【図８】いくつかの実施形態による、例示的なガラスパネル応力検出装置の概略図である。
【図９】いくつかの実施形態による、図８の例示的なガラスパネル応力検出装置の正面視の概略図である。
【図１０】いくつかの実施形態による、図８の例示的なガラスパネル応力検出装置の側面視の概略図である。
【図１１】いくつかの実施形態による、図８の例示的なガラスパネル応力検出装置の例示的なバッファ機構の概略図である。
【図１２】いくつかの実施形態による、図８の例示的なガラスパネル応力検出装置の例示的な屈折流体噴霧及び除去構造体の概略図である。
【図１３】いくつかの実施形態による、図８の例示的なガラスパネル応力検出装置の例示的な水平駆動機構の概略図である。
【図１４】いくつかの実施形態による、図８のガラスパネル応力検出装置の例示的な洗浄機構の概略図である。
【発明を実施するための形態】
【００２１】
以下、本開示の目的、技術的解決策、及び利点をより明確にするため、添付図面を参照し、本開示の実施形態をより詳細に説明する。
【００２２】
図１は、いくつかの実施形態による、強化ガラスパネルを製造し、かつガラスパネルの生産情報を生産ライン上で検出、照会、及び提供する例示的なシステム１０００の概略図である。いくつかの実施形態によると、システムは、ガラス基板１１００に最適化工程を行う。最適化工程は、ガラス基板１１００を互いに同じサイズであってもよい複数のガラスパネル、例えば、１１０１，１１０２，１１０３，１１０４，１１０５に分割または切断する予定である。いくつかの実施形態において、複数のガラスパネルは、異なるサイズであってもよい。最適化は、数学的方法を用いて基板１１００の有用性を幾何学的に最大化することで、それぞれの単一の所定の基板１１００上により多くのガラスパネルを生成し、廃棄物を減少させる。
【００２３】
最適化の後に、複数のガラスパネル１１０１，１１０２，１１０３，１１０４，１１０５の境界が基板１１００上に予定される。いくつかの実施形態において、迅速な処理のために、それぞれのガラスパネルの境界及びサイズに関する情報のような最適化情報が識別コードまたはパターン内に格納される。また、それぞれの識別コードまたはパターンは、複数のガラスパネルの一つを固有に識別し、対応するガラスパネルのエッジに沿って、またはその隅に構成される。いくつかの実施形態において、最適化情報は、固有識別コードやパターンに基づいてデータベースに格納される。識別コードまたはパターンは、それぞれの対応するガラスパネルの隅に実装される。例えば、識別コードまたはパターン１１１０ａ，１１１０ｂ，１１１０ｃ，１１１０ｄ，１１１０ｅは、それぞれ対応するガラスパネル１１０１，１１０２，１１０３，１１０４，１１０５のエッジに沿って、またはその隅に実装される。いくつかの実施形態によると、識別コードまたはパターンは、バーコード、クイックレスポンス（ｑｕｉｃｋ  ｒｅｓｐｏｎｓｅ；ＱＲ）コードのような２次元コード、または文字列などであってもよい。いくつかの実施形態によると、識別コードまたはパターンは、ガラス基板／パネルに印刷（レーザー印刷を含む）、エッチング、または付着される。いくつかの実施形態によると、２次元コードは、レーザーエッチング、噴霧、化学的エッチング、または物理的付着または接着によってガラス基板／パネル上に設けられる。いくつかの実施形態において、識別コードまたはパターンは、可視光認識可能である。いくつかの実施形態において、識別コードまたはパターンは、非可視光認識可能である。いくつかの実施形態によると、識別コードまたはパターンは、情報格納及び処理設備１３００内のガラスパネル生産情報データベース１３０１でそれぞれの対応するガラスパネルに対する固有識別子の役割を果たす。いくつかの実施形態によると、ガラスパネル生産情報データベース１３０１は、固有識別コードやパターンに基づいてそれぞれの対応するガラスパネルのライフサイクルにわたって生産及び試験情報を格納する。いくつかの実施形態によると、生産及び試験情報は、前述の最適化に関する情報を含む。
【００２４】
いくつかの実施形態によると、最適化が完了され、境界が適切に予定されると、ガラスパネルは、識別コードまたはパターンから検索されるかそれに基づく最適化情報（例えば、予定された境界及びサイズ）によって切断され、隅に識別コードまたはパターンを有するガラスパネルを生成する。いくつかの実施形態によると、切断されたガラスパネルは、強化（すなわち、テンパリングまたは半テンパリング）処理のためにテンパリングまたは半テンパリング設備１２００に供給される。また、強化工程中に得られた情報（例えば、強度、熱抵抗、強靭度、それぞれの製造工程に対する責任者など）が、識別コードまたはパターンに対応する固有識別子を使用してガラスパネル生産情報データベース１３０１に格納される。いくつかの実施形態によると、生産ライン上での試験の装備がディーププロセッシング生産ライン１００７に配置されて製品品質情報（例えば、応力情報、強化品質など）を取得し、そして、このような製品品質情報を、識別コードやパターンに基づいて生産ラインの制御ユニット１３０３によって生産情報データベース１３０１にアップロードする。いくつかの実施形態によると、ガラスパネルの地理的位置に関する情報も、識別コードやパターンに基づいてガラスパネル生産情報データベース１３０１に収集されて格納される。ガラスパネルの地理的位置に関する情報は、ガラス基板が生産される場所、ガラスパネルが切断されて強化される場所、他の処理及び試験が行われる場所を含むが、これらに制限されるものではない。ガラスパネルの地理的位置に関する情報は、生産及び試験のための対応する地理特定的標準を呼び出すように実装される。
【００２５】
いくつかの実施形態によると、典型的にユーザが建築プロジェクト用のガラスパネルを設置しようとしたときに、遠隔地で、ユーザは、コード読み取り機１００４を使用して識別コードまたはパターン１００３を読み取ってガラスパネル生産情報データベース１３０１から生産ライン上の試験情報を検索することができる。いくつかの実施形態によると、情報格納及び処理設備１３００とコード読み取り機１００４は、有線、無線、または有線・無線ハイブリッドネットワーク１４００を介して接続される。いくつかの実施形態によると、図面符号１４００は、クラウドである。いくつかの実施形態によると、コード読み取り機１００４は、あるモバイルアプリケーションまたはプログラムが実装された携帯電話やタブレットデバイスであってもよい。いくつかの実施形態によると、コード読み取り機１００４は、専門のコード読み取り装置である。
【００２６】
いくつかの実施形態において、コード読み取り機１００４は、識別コードまたはパターン１００３の表面に光（例えば、可視光及び／または非可視光）を放出する光源（図１に図示せず）と、光源に結合されて、識別コードまたはパターン１００３の表面から反射された光（例えば、可視光及び／または非可視光）を捕獲するレンズ（図１に図示せず）と、レンズに結合されて、反射された光（光学インパルス）を電気インパルスに変換しデジタル画像やデジタルデータを生成する光センサ（図１に図示せず）を備える。いくつかの実施形態において、コード読み取り機１００４は、また、光センサに結合されてデジタル画像やデジタルデータを分析し、識別コードまたはパターン１００３を提供するデコーダを備える。いくつかの実施形態において、コード読み取り機１００４は、さらに、無線ネットワーク、有線ネットワーク、またはこれらの組み合わせを介して情報格納及び処理設備１３００に接続するためのネットワーク接続回路を備える。また、コード読み取り機１００４は、上記の構成要素に結合されて、識別コードまたはパターン１００３に基づいてガラスパネル生産情報データベース１３０１から生産ライン上の試験情報を検索する中央プロセッサを備えてもよい。いくつかの実施形態において、コード読み取り機１００４は、さらに、検索された生産ライン上の試験情報をユーザに表示する表示装置を備えてもよい。いくつかの実施形態において、コード読み取り機１００４は、識別コードまたはパターン１００３に基づいてガラスパネル生産情報データベース１３０１から生産ライン上の試験情報を検索するために、情報格納及び処理設備１３００に接続するためのネットワーク接続回路及び検索された生産ライン上の試験情報をユーザに表示する表示装置を含むコンピュータ（図１に図示せず）に結合されてもよい。
【００２７】
いくつかの実施形態において、コード読み取り機１００４は、識別コードまたはパターン１００３を撮像する撮像装置（図１に図示せず）、撮像装置に結合されて、撮像された画像を処理し、識別コードまたはパターン１００３を認識する画像プロセッサ（図１に図示せず）を備えてもよい。コード読み取り機１００４は、また、無線ネットワーク、有線ネットワーク、またはこれらの組み合わせを介して情報格納及び処理設備１３００に接続するためのネットワーク接続回路（図１に図示せず）を備えてもよい。また、コード読み取り機１００４は、撮像装置、画像プロセッサ、及びネットワーク接続回路に結合されて、識別コードまたはパターン１００３に基づいてガラスパネル生産情報データベース１３０１から生産ライン上の試験情報を検索するようにコード読み取り機に指示する中央プロセッサ（図１に図示せず）を備えてもよい。いくつかの実施形態において、コード読み取り機１００４は、さらに、中央プロセッサに結合されて、検索された生産ライン上の試験情報をユーザに表示する表示装置（図１に図示せず）を備えてもよい。
【００２８】
いくつかの実施形態において、コード読み取り機１００４の中央プロセッサは、さらに、製品標準データベースからモバイル走査装置の地理的位置情報に基づいて特定の地理的地域における強化ガラスパネルに対する要求応力が含まれた製品標準を検索し、検索された製品標準を識別コードに対応する検索された応力情報と比較して複数の強化ガラスパネルのいずれかが製品標準に準拠するか否かを決定し、比較の結果を表示するように表示装置に指示するように構成されてもよい。
【００２９】
いくつかの実施形態によると、識別コードまたはパターン１００３は、２次元コードであり、対応するガラスパネル生産情報データに連結される。いくつかの実施形態によると、情報格納及び処理設備１３００は、中央処理ユニット１３０３及びガラスパネル生産情報データベース１３０１を含む。いくつかの実施形態において、ガラスパネル生産情報データベース１３０１は、情報格納及び処理設備１３００から遠隔で配置され、有線、無線、または有線・無線ハイブリッドネットワークを介して設備１３００に接続される。いくつかの実施形態によると、ガラスパネル製造照会情報システム１０００は、また、情報格納及び処理設備１３００に配置される製品標準データベース１３０２を備える。いくつかの実施形態によると、製品標準データベース１３０２は、設備１３００から遠隔で配置され、有線、無線、または有線・無線ハイブリッドネットワークを介して設備１３００に接続される。
【００３０】
いくつかの実施形態によると、コード読み取り機１００４は、ガラス基板１００２における２次元コード１００３を読み取るように実装され、そして、システムは、ネットワーク、またはクラウド１４００を介してガラスパネル生産情報データベース１３０１にアクセスしてそこから得られたガラスパネルの製造情報及び／または品質情報を表示する。
【００３１】
いくつかの実施形態によると、地理的位置認識モジュール１３０４が、ガラス基板１００２における２次元コード１００３を読み取るコード読み取り装置の地理的位置（地球の表面上の地点または地域、例えば、緯度と経度の座標、国、州／県、郡、市、市の地域区など）を認識するように実装される。地理的位置認識モジュール１３０４は、中央処理ユニット１３０３に機能的に接続される。モジュール１３０４は、地理的位置に基づいてガラスパネルが位置する国及び／または地域（例えば、州／県、郡及び／または市）を決定する。次に、中央処理ユニットは、対応する国及び／または地域の製品標準情報にアクセスしてもよい。いくつかの他の実施形態によると、地理的位置認識モジュール１３０４は、複数の国及び地域のＩＰアドレスのリストにアクセスできるＩＰアドレス識別モジュールである。コード読み取り装置がガラスパネルにおける２次元コード１００３を読み取り、モジュール１３０４にアクセスすると、モジュール１３０４は、コード読み取り装置のＩＰアドレスを自動的に得て、そのＩＰアドレスに基づいてコード読み取り装置の国または地域を決定する。いくつかの他の実施形態によると、地理的位置認識モジュール１３０４は、コード読み取り装置のＧＰＳ位置（例えば、緯度と経度の座標）に基づいてコード読み取り装置の地理的位置を決定するＧＰＳシステムである。いくつかの他の実施形態によると、ユーザは、自分の地理的位置をコード読み取り装置に入力し、モジュール１３０４に伝送する。
【００３２】
いくつかの実施形態によると、ガラスパネル生産情報データベース１３０１は、ガラスパネル生産情報を格納するように実装される。いくつかの実施形態によると、ガラスパネル生産情報は、さらに製品品質情報を含む。いくつかの実施形態によると、ガラスパネル生産情報は、ガラスパネルのカテゴリ、構成、寸法、厚さ、及び材料に関する情報を含む。いくつかの実施形態によると、ガラスパネル生産情報は、生産日、生産勤務組、生産オペレータ、及び／またはテンパリング工程パラメータを含む。いくつかの実施形態によると、ガラスパネルは、強化（すなわち、テンパリングされた、または半テンパリングされた）ガラスパネルであるため、製品品質情報は、ガラスパネルの波状度、たわみ、及び少なくとも一つの表面応力を含む。いくつかの実施形態によると、ガラスパネルは、すべての未加工ガラスパネル及びディーププロセッシングガラス製品を指し、その結果、製品品質情報は、異なる類型のガラスパネルによって異なる。例えば、ガラスパネルが断熱ガラス、真空断熱ガラス、低Ｅコートガラスであるとき、製品品質情報は、断熱特性、密封特性など及び他の関連品質情報を含む。
【００３３】
いくつかの実施形態によると、製品標準データベース１３０２は、製品標準データを格納するように実装される。いくつかの実施形態によると、製品標準データベース１３０２は、少なくとも一つの国または地域の製品標準データを含み、製品標準データは、製品の仕様（例えば、要求応力）、パラメータ、及び機能性を含む国、産業、または企業の技術標準である。
【００３４】
いくつかの実施形態によると、中央処理ユニット１３０３は、２次元コードに基づいてガラスパネル生産情報データベース１３０１からガラスパネルの製品情報を検索し、ガラスパネルが位置する国及び／または地域に基づいて製品標準情報データベース１３０２から製品標準データを検索し、製品情報及び製品標準データをコード読み取り機１００４に返送する。いくつかの実施形態において、中央処理ユニット１３０３は、また、製品情報を製品標準データと比較することができ、比較の結果をコード読み取り機１００４に返送する。
【００３５】
いくつかの実施形態によると、情報格納及び処理設備１３００は、ＥＲＰ（ｅｎｔｅｒｐｒｉｓｅ  ｒｅｓｏｕｒｃｅ  ｐｌａｎｎｉｎｇ；企業資源計画）システムに接続され、ガラスパネル生産情報は、ＥＲＰシステムを介して生産ラインから検索され、ガラスパネル生産情報は、ガラスパネル生産情報データベースに伝送される。いくつかの実施形態によると、ガラスパネル生産情報は、ＥＲＰシステムを経由せずに有線、無線、または有線・無線ハイブリッドネットワークを介して直接にガラスパネル生産情報データベースに伝送される。
【００３６】
いくつかの実施形態によると、前記システムを照会する方法は、下記のステップを含む。ステップ１において、システムは、ガラス基板１１００に最適化工程を行って基板を複数のガラスパネルに分割し、基板の最大限の有用性を達成し、複数のガラスパネルのそれぞれに識別コードまたはパターンを設け、識別コードまたはパターン内に最適化情報を格納し、ガラスパネル生産情報データベース１３０１内に識別コードやパターンに基づいてそれぞれのガラスパネルに対する生産情報記録を生成する。いくつかの実施形態において、システムは、識別コードやパターンに基づいてデータベース１３０１に最適化情報を格納する。いくつかの実施形態によると、ガラスパネル生産情報は、製品品質情報も含む。システムは、識別コードまたはパターンから検索されるかそれに基づく最適化情報に基づいて基板を複数のガラスパネルに切断し、複数のガラスパネルに強化工程を行い、対応するガラスパネル生産情報をアップデートする。
【００３７】
ステップ２において、システムは、生産ラインの制御ユニット１３０３を介してガラスパネルディーププロセッシング生産ライン１００７に関するガラスパネル生産情報を得る。いくつかの実施形態によると、生産ライン上の試験装備が生産ラインに配置されてガラスパネル製品の品質を試験し、そのような品質情報は、生産ラインの制御ユニットを介してデータベース１３０１にアップロードされる。いくつかの実施形態によると、品質情報は、ガラスパネル生産情報データベース１３０１内の識別コードやパターンに対応する記録内に格納される。
【００３８】
ステップ３において、コード読み取り機１００４は、ガラスパネル１００２における識別コードやパターンを読み取り、その地理的位置情報を地理的位置認識モジュール１３０４に伝送する。システムは、データベース１３０１から識別コードやパターンに基づいてガラスパネル生産情報を取得し、製品標準情報データベース１３０２から地理的位置情報（例えば、国、州／県、郡及び／または市など）に対応する製品標準情報を検索する。システムは、表示のために、ガラスパネルの生産情報及び製品標準情報を再びコード読み取り機１００４に伝送する。いくつかの実施形態において、システムは、さらに生産情報を製品標準情報と比較してガラスパネルの生産（応力のような品質を含む）が地理的位置情報に対応する製品標準に準拠するか否かを決定した後、比較の結果を再びコード読み取り機に伝送してもよい。いくつかの実施形態において、システムは、品質監視、品質管理、及び品質問題の追跡を容易にするため、比較の結果を再び生産管理者及びユーザに伝送する。その結果、日常的な使用中のガラスパネルの安全性と信頼性が向上され、顧客の信頼と満足度を改善する。
【００３９】
いくつかの実施形態によると、ガラスパネル１００２の製品品質情報は、ディーププロセッシング生産ライン１００７に配置された生産ライン上の試験装備を介して得られ、生産ラインの制御ユニットによって生産情報データベースにアップロードされた。いくつかの実施形態によると、ガラスパネル１００２の製品品質情報は、生産ライン外の試験装備によって得られて人間・機械ユーザインタフェースを介して生産情報データベース１３０１にアップロードされてもよい。
【００４０】
図２は、いくつかの実施形態による、生産ライン上で得られたガラスパネル生産情報を照会する他の例示的なシステム２０００の概略図である。いくつかの他の実施形態によると、システム２０００は、情報及び制御設備２１００、遠隔試験設備２２００、及び生産ライン上の品質試験設備３０００を備える。
【００４１】
いくつかの実施形態において、情報及び制御設備２１００は、センサ制御器２１１０、特定のプロジェクトのためにプログラムされた制御指示を実行する制御サーバ２１２０、及びサーバ２１２０に結合されてガラスパネルの生産及び試験情報を格納するデータベース２１３０を備える。いくつかの他の実施形態によると、データベース２１３０は、前述の生産情報データベース１３０１である。いくつかの他の実施形態によると、制御サーバ２１２０及びデータベース２１３０の両方は、インターネット、広域ネットワーク（ＷＡＮ）、ローカルエリアネットワーク（ＬＡＮ）、無線ネットワーク、またはこれらの任意の組み合わせであってもよいコンピュータネットワーク２０４０に接続される。
【００４２】
いくつかの実施形態において、遠隔試験設備２２００は、コード読み取り装置２２５０を備える。コード読み取り装置２２５０は、ガラスパネル２２６０に実装された識別コードまたはパターン２２７０を走査することができる。
【００４３】
いくつかの実施形態において、生産ライン上の試験設備３０００は、複数の強化ガラスパネルを製造する生産ラインのコンベア３００３上に、ガラスパネル３００２をはじめとした複数の強化ガラスパネルに対して品質（応力を含む）を試験する応力センサ３００１を備える。生産ライン上の試験設備３０００は、生産ライン上の複数の強化ガラスパネルの品質を試験するために使用され、ガラスパネル３００２に対する試験は、例示の目的のために行われる。いくつかの他の実施形態によると、応力センサ３００１は、情報及び制御設備２１００のセンサ制御器２１１０に結合される。制御サーバ２１２０に結合されたセンサ制御器２１１０は、ガラスパネル３００２の表面に沿って、かつガラスパネル３００２の垂直方向に沿って応力センサ３００１の３次元移動を制御する。いくつかの他の実施形態によると、センサ制御器２１１０は、ロボットアーム及びコンピューティングプロセッサを備える。
【００４４】
いくつかの他の実施形態によると、遠隔試験設備２２００において、作業者は、前述のように、コード読み取り装置２２５０を使用してガラスパネル２２６０の隅に実装された識別コードまたはパターン２２７０を走査し、ネットワーク２０４０を介してデータベース２１３０にアクセスしてデータベース２１３０内に格納された生産、試験、及び標準情報を検索する。
【００４５】
いくつかの他の実施形態によると、図２に例示された前記照会システムを照会する方法は、図１に例示されたシステムを照会する方法と類似しているが、ステップ３における地理的位置の識別に違いがある。いくつかの他の実施形態によると、制御サーバ２１２０がコード読み取り装置の地理的位置（例えば、地理的位置のユーザ入力、コード読み取り装置のＩＰアドレス、またはＧＰＳの位置）に基づいてコード読み取り装置の国または地域を決定しに後に、対応する製品標準情報が得られ、ガラスパネル製品情報と比較される。いくつかの他の実施形態によると、ユーザが自分の地理的位置をコード読み取り装置２２５０に入力し、その地理的位置情報をサーバユニットに伝送してコード読み取り装置が位置する国または地域を決定する。
【００４６】
いくつかの他の実施形態によると、製品標準情報データベース２１３０が２つ以上の国または地域の標準を含むとき、地理的位置識別モジュールが実装され、サーバ２１２０に結合される。生産管理者及びユーザがコード読み取り装置によりガラスパネルに設けられた識別コードやパターンを読み取った後、サーバは、コード読み取り装置のＩＰアドレスやＧＰＳの位置に基づいてコード読み取り装置が位置する国及び／または地域を決定する。次に、国または地域に対応する製品標準情報が自動的に取得され、世界中の国での使用中に顧客のニーズを満たすための迅速かつ便利な照会を容易にする。
【００４７】
図３は、いくつかの実施形態による、ガラスパネルにおいて応力情報を生産ライン上で検出する例示的なシステム及び方法の概略図である。いくつかの実施形態によると、ガラスパネル応力検出システム３０００は、強化ガラスパネルの生産ラインの下流側に配置される応力センサ３００１を備える。応力センサ３００１は、移送機構３００３で伝達されているガラスパネル３００２の上に配置される。応力センサ３００１は、波長が４５０〜６００ｎｍの光源を含む。複数の強化ガラスパネルに対して応力情報を一つずつ生産ライン上で検出及び処理する方法は、下記のステップを含む。
【００４８】
ステップ１において、システムは、ガラスパネル（複数の強化ガラスパネルのいずれか）の寸法情報及び配列情報を、制御ユニットを介して自動的に、または制御ユニットへの人間・機械インタフェースを介した手動入力により得る。次に、制御ユニットは、前記情報に基づいて多数の試験領域及びそれらの対応する位置座標を計算する。
【００４９】
ステップ２において、ガラスパネルの強化処理の後に、システムは、試験領域の上表面または下表面を圧縮空気でパージして試験領域を洗浄する。システムは、次に、応力センサ３００１に屈折流体を噴霧し、ガラスパネル及び／または応力センサを移動させてガラスパネルと応力センサの相対位置を決定する。ガラスパネルと応力センサの相対位置を決定するため、応力センサを静止状態に保ち、ガラスパネルを移動させて応力センサ及びガラスパネルの試験領域を所定の相対位置に位置させるステップと、ガラスパネルを静止状態に保ち、応力センサを移動させて応力センサ及びガラスパネルの試験領域を所定の相対位置に位置させるステップと、または応力センサ及びガラスパネルの両方を互いに向かって移動させて、応力センサ及びガラスパネルの試験領域を所定の相対位置に位置させるステップのいずれかが実行される。
【００５０】
ステップ３において、システムは、応力センサ及び／またはガラスパネルをガラスパネルの上表面及び下表面の法線方向に沿って移動させ、応力センサがガラスパネルの試験領域と接触するようにし、応力センサと試験領域の間の応力レベルを１０ニュートン以下に保ち、１秒〜３０秒（好ましい実施形態では、２秒〜１０秒）の接触時間を保ち、応力検出を終了する。いくつかの実施形態によると、検出工程を介して得られた応力情報は、ガラスパネルの圧縮応力及び／または引張応力の情報、及びガラスパネルの接線方向及び厚み方向に沿った応力分布を含む。
【００５１】
ステップ３以降、システムは、検索された応力情報を格納する。情報格納ステップは、検出された応力情報を読み取ること、及びそのような情報を強化ガラスパネルの生産ラインの制御ユニットを介してガラスパネル生産情報データベースに格納することを含む。
【００５２】
図４は、いくつかの実施形態による、応力センサ３００１’がガラスパネルの下に位置するとき、ガラスパネル３００２において応力情報を生産ライン上で検出する他の例示的なシステム３０００’及び方法の他の概略図である。いくつかの実施形態によると、応力センサ３００１’は、ガラスパネル３００２の下に実装され、生産ライン上の応力情報検出は、ガラスパネル３００２の表面の下から達成される。図４に例示された実施形態は、前述の図３の実施形態と非常に類似し、応力センサ３００１をガラスパネル３００２の上に配置する代わりに、応力センサ３００１’がガラスパネル３００２の下に配置されることに違いがある。すべてのステップ及び実行は、図３に関する前記説明と非常に類似している。
【００５３】
図５は、いくつかの実施形態による、複数の応力センサが実装されるとき、ガラスパネル３００２において応力情報を生産ライン上で検出するさらに他の例示的なシステム３０００’’及び方法の概略図である。いくつかの実施形態によると、複数の応力センサ３００１Ａ，３００１Ｂ，３００１Ｃなどが複数の応力センサに対応する複数の試験領域に同時に応力情報を検出するように実装される。いくつかの実施形態によると、システム３０００’’は、すべての試験領域の応力情報を同時に検出するため、ガラスパネルにおける試験領域の対応する数と同じ数の応力センサを実装する。複数の応力センサのそれぞれは、前述と同じ方式で動作する。
【００５４】
図６は、いくつかの実施形態による、２次元コードを有する例示的なガラスパネル６０００の概略図である。いくつかの実施形態によると、ガラスパネル６０００は、ガラス基板６００１及び２次元コード６００２を備える。２次元コード６００２は、強化処理前にレーザーエッチング、噴霧、またはスクリーニング印刷を介してガラス基板６００１に実装されてもよい。いくつかの実施形態によると、２次元コード６００２は、完成品の使用及び外見に影響を及ぼすことを回避するように、ガラス基板６００１のエッジまたは隅の付近に位置する。いくつかの実施形態によると、２次元コード６００２は、ガラス基板６００１の下端右側の隅付近に位置する。
【００５５】
いくつかの実施形態によると、２次元コード６００２は、少なくともガラス基板６００１の応力情報を含むガラスパネル生産情報データベース（図６に図示せず）に連結される。応力情報は、２次元コード６００２を読み取ることにより得ることができる。いくつかの実施形態によると、応力情報は、ガラス基板の圧縮応力と引張応力の情報を含む。いくつかの実施形態によると、応力情報は、ガラス基板６００１の応力分布情報も含む。いくつかの実施形態によると、応力分布情報は、ガラス基板６００１の接線方向と厚み方向に沿った応力分布を含む。いくつかの実施形態によると、ガラスパネル生産情報データベースは、ガラスパネルのカテゴリ、構成、寸法、厚さ、及び材料に関する情報も含む。いくつかの実施形態によると、生産管理のため、ガラスパネル生産情報データベースは、さらに、生産日、生産勤務組、生産オペレータ、及び／またはテンパリング工程パラメータを含む。いくつかの実施形態によると、２次元コード６００２は、コードワン（Ｃｏｄｅ  Ｏｎｅ）、マキシコード（Ｍａｘｉ  Ｃｏｄｅ）、ＱＲコード（登録商標）、データマトリックス（Ｄａｔａ  Ｍａｔｒｉｘ）、漢信コード（Ｈａｎ  Ｘｉｎ  Ｃｏｄｅ）、またはグリッドマトリックス（Ｇｒｉｄ  Ｍａｔｒｉｘ）などとして実装される。
【００５６】
いくつかの実施形態によると、ガラス基板６００１上の２次元コード６００２は、ガラスパネル生産情報データベース（図示せず）に連結された文字列で置き換えられる。いくつかの実施形態によると、ガラスパネル生産情報データベースは、少なくともガラス基板６００１の応力情報を含む。いくつかの実施形態によると、応力情報は、文字列を読み取ることにより検索される。いくつかの実施形態によると、文字列は、ＡＳＣＩＩコードである。
【００５７】
いくつかの実施形態によると、応力情報は、強化ガラスパネルの重要な生産品質パラメータである。ガラス基板６００１上の２次元コードや文字列を読み取ることで応力情報を検索することは、ガラス基板の応力情報を得ることを容易にし、その結果、強化ガラスパネルの生産過程中の製品品質の監視及び制御を容易にする。いくつかの実施形態によると、生産管理者または製品のユーザにより多くの情報を提供するため、応力情報に加えて、ガラスパネルのカテゴリ、構成、寸法、厚さ、及び材料の情報などの他の情報がさらに得られる。
【００５８】
図７は、いくつかの実施形態による、ガラスパネルを製造する例示的な方法を説明するフローチャートである。いくつかの実施形態によると、この方法は、下記のステップを含む。ステップ７０１０において、生産工程が開始される。いくつかの実施形態において、ガラス基板に最適化工程を行い、基板を複数のガラスパネルに分割／切断する。ステップ７０２０において、２次元コードが複数のガラスパネルのそれぞれに設けられ、最適化情報を含む。いくつかの実施形態によると、２次元コードは、強化（すなわち、テンパリングまたは半テンパリング）処理前にレーザーエッチング、噴霧、またはスクリーニング印刷によりそれぞれのガラスパネルに設けられる。いくつかの実施形態によると、２次元コードは、ガラスパネル生産情報データベースに連結される。ステップ７０３０において、２次元コードが設けられたそれぞれのガラスパネルが強化される。いくつかの実施形態によると、強化工程は、オーブン加熱とテンパリング冷却工程を含む。ステップ７０４０において、それぞれの強化ガラスパネルの応力情報が応力センサを介して得られる。ステップ７０５０において、応力センサから得られた応力情報が制御ユニットに伝送される。ステップ７０６０において、制御ユニットが応力情報を伝送し、ガラスパネル生産情報データベース内に格納する。
【００５９】
いくつかの実施形態によると、未加工ガラス基板は、強化工程の前に切断、片面研磨、及び洗浄される必要がある。したがって、「強化処理の前」とは、未加工ガラス基板が切断される前、または未加工ガラス基板が切断された後でかつ片面研磨される前、または片面研磨された後でかつ洗浄前、または洗浄後でかつ強化処理のためにテンパリングオーブンに移送される前であると理解すべきである。
【００６０】
図８は、いくつかの実施形態による、例示的なガラスパネル応力検出装置８０００の概略図である。いくつかの実施形態によると、ガラスパネル応力検出装置８０００は、応力センサ８００１、屈折流体噴霧機構８００２、屈折流体パージ機構８００３、プラットフォーム８００４、支持フレーム８００５、回転電気モータ８００６、第１のエレベータ８００７、水平駆動装置８００８、及び作業台８００９を備える。いくつかの実施形態において、コンベア８０１０上で伝達されるガラスパネルから応力情報を検出するために実装されるガラスパネル応力検出装置８０００は、コンベア８０１０の下に配置される。いくつかの他の実施形態によると、ガラスパネル応力検出装置８０００は、コンベア８０１０の上に配置されてもよい。いくつかの他の実施形態によると、ガラスパネル応力検出装置８０００は、コンベア８０１０の上側及び下側の両方に配置される。
【００６１】
図９は、いくつかの実施形態による、図８のガラスパネル応力検出装置８０００の正面視の概略図である。図１０は、いくつかの実施形態による、図８のガラスパネル応力検出装置８０００の側面視の概略図である。図８に示すように、装置８０００は、洗浄組立体８０１１を備える。
【００６２】
図１１は、いくつかの実施形態による、図８のガラスパネル応力検出装置８０００の例示的なバッファ（またはクッション）機構８７００の概略図である。図１１に示すように、ガラスパネル応力検出装置８０００のバッファ機構８７００は、バッファ（またはクッション）設置パネル８７２１、渦巻バネ８７２２、案内棒８７２３、力センサ設置パネル８７２４、力センサ８７２５、及び応力センサ設置パネル８７２６を備える。
【００６３】
図１２は、いくつかの実施形態による、図８のガラスパネル応力検出装置８０００の例示的な屈折流体噴霧と除去構造体の概略図である。図１２に示すように、ガラスパネル応力検出装置８０００の屈折流体噴霧と除去構造体は、噴霧器８０２１、回転シリンダ８０２２、第１の電気モータ８０３１、除去機８０３２、第２のエレベータ８０３３、駆動ギア８０６１、被動ギア８０６２、サーボシリンダ８０７１、及びバッファ８７００を備える。
【００６４】
図１３は、いくつかの実施形態による、図８のガラスパネル応力検出装置８０００の例示的な水平駆動機構の概略図である。図１３に示すように、ガラスパネル応力検出装置８０００の水平駆動機構は、支持ビーム８０８１、水平駆動モータ８０８２、及び変速機８０８３を備える。
【００６５】
図１４は、いくつかの実施形態による、図８のガラスパネル応力検出装置８０００の例示的な洗浄機構の概略図である。図１４に示すように、ガラスパネル応力検出装置８０００の洗浄機構は、洗浄組立体８０１１を備え、この洗浄組立体８０１１は、さらに、洗浄モータ８１１１、洗浄ヘッド８１１２、及び第３のエレベータ８１１３を備える。
【００６６】
図８、図９、図１０、及び図１１を参照して、いくつかの他の実施形態によると、ガラスパネル応力検出装置８０００は、作業台８００９、試験機構、及び水平駆動装置８００８を備える。図８に示すように、作業台８００９は、応力検出装置全体を試験位置、例えば、テンパリングされたガラスパネルの生産ラインのコンベア８０１０の下に固定させるように実装される。
【００６７】
図８、図９、及び図１１を参照すると、試験機構は、応力センサ８００１、屈折流体噴霧機構８００２、プラットフォーム８００４、及び第１のエレベータ８００７を備える。いくつかの他の実施形態によると、屈折流体パージ機構８００３は、ガラスパネルの表面を清潔に保ち、コンベア８０１０の汚染を回避するため、応力試験後のガラスパネルの表面上の屈折流体を迅速に除去するようにプラットフォーム８００４に実装される。いくつかの他の実施形態によると、応力センサ８００１は、ガラスパネルＡの応力情報を検出するように実装され、第１のエレベータ８００７を介してプラットフォーム８００４に実装される。
【００６８】
図９及び図１２を参照すると、いくつかの実施形態によると、第１のエレベータ８００７は、サーボシリンダ８０７１とバッファ８７００を備える。サーボシリンダ８０７１の一端部は、プラットフォーム８００４に固定され、そのねじは、プラットフォーム８００４を通してその上方に延びる。いくつかの実施形態によると、応力センサ８００１は、バッファ８７００を介してサーボシリンダ８０７１のねじに実装される。いくつかの実施形態によると、サーボシリンダ８０７１は、応力センサ８００１を持ち上げるための駆動力を提供する。いくつかの実施形態によると、リフトモータ及びシリンダなど他の周知の駆動機構がサーボシリンダ８０７１を代替するように実装される。
【００６９】
図１１及び図１２を参照すると、いくつかの実施形態によると、バッファ（クッション）機構８７００は、バッファ（またはクッション）設置パネル８７２１、渦巻バネ８７２２、案内棒８７２３、力センサ設置パネル８７２４、力センサ８７２５、及び応力センサ設置パネル８７２６を備える。いくつかの実施形態によると、案内棒８７２３の一端部は、バッファ設置パネル８７２１に固定される。また、案内棒８７２３は、渦巻バネ８７２２、力センサ設置パネル８７２４、及び応力センサ設置パネル８７２６を下から上に通過する。いくつかの実施形態によると、渦巻バネ８７２２の２つの端部は、それぞれ力センサ設置パネル８７２４とバッファ設置パネル８７２１と接触する。いくつかの実施形態によると、応力センサ８００１は、応力センサ設置パネル８７２６に固定され、力センサ８７２５は、渦巻バネ８７２２の弾性力を測定するように力センサ設置パネル８７２４に実装される。
【００７０】
いくつかの実施形態によると、力センサ８７２５の実装により、応力センサ８００１による応力試験中に所定の圧力がガラスパネルの表面上に保持されて試験の精度を確保する。いくつかの実施形態によると、サーボシリンダ８０７１のねじは上方に延び、応力センサ８００１がガラスパネルＡと接触し、ガラスパネルＡに所定の圧力を加えるまで応力センサ８００１を上方に駆動させる。いくつかの実施形態によると、バッファ機構８７００は、ねじの上昇中に、そして試験中にサーボシリンダの損傷を回避するように実装される。いくつかの実施形態によると、バッファ機構８７００は、また、他の理由でガラスパネルに加えられる過度な圧力によるガラスパネルの損傷を回避するように実装される。
【００７１】
図９及び図１２を参照すると、屈折流体噴霧機構８００２は、ガラスパネルＡの表面に屈折流体を噴霧する噴霧器８０２１、及び噴霧器８０２１を所定の軸に対して回転させるように駆動する回転シリンダ８０２２を含む。噴霧器８０２１は、プラットフォーム８００４に設けられた回転シリンダ８０２２に固定される。
【００７２】
図１０及び図１２に示すように、屈折流体パージ機構８００３は、複数の除去機８０３２、及び第１の電気モータ８０３１を備える。いくつかの実施形態によると、複数の除去機８０３２は、軸断面の径方向に沿って第１の電気モータ８０３１の出力軸に実装され、第１の電気モータ８０３１は、第２のエレベータ８０３３を介してプラットフォーム８００４に固定される。いくつかの実施形態によると、噴霧器８０２１は、操作中に、ガラスパネルＡの試験領域に屈折流体を噴霧する。回転シリンダ８０２２は、噴霧器８０２１が所定の角度で回転するように駆動させ、応力センサ８００１がガラスパネルＡと接触するまで応力センサ８００１の上昇に十分なスペースを提供する。応力試験が完了するとき、回転シリンダ８０２２は、噴霧器８０２１を再びリセット位置に駆動させる。次に、第２のエレベータ８０３３、及び第１の電気モータ８０３１がガラスパネルＡの表面から屈折流体を除去するために除去機８０３２を上昇させ始める。
【００７３】
図９及び図１３に示すように、水平駆動装置８００８は、プラットフォーム８００４をガラスパネルＡの移送方向（水平）に対して垂直な方向に沿って往復するように駆動させるために作業台８００９に設けられる。いくつかの実施形態によると、水平駆動装置８００８は、支持フレーム８００５、支持ビーム８０８１、及び往復機構を備える。いくつかの実施形態によると、往復機構は、さらに、水平駆動モータ８２８２と変速機８０８３を備える。いくつかの実施形態によると、支持フレーム８００５は、支持フレーム８００５が支持ビーム８０８１の軸に沿って往復できるようにする方式で支持ビーム８０８１に設けられる。
【００７４】
いくつかの実施形態によると、プラットフォーム８００４は、シャフトを介して支持フレーム８００５に設けられ、この支持フレーム８００５はプラットフォーム８００４が支持フレーム８００５の軸を中心に回転することを可能にする。いくつかの実施形態によると、変速機８０８３は、好ましくは、タイミングベルトである。いくつかの実施形態によると、変速機８０８３は、特定の要件に基づいた他の変速機機構である。いくつかの実施形態によると、変速機８０８３は、タイミングベルトを介して係合された一対のマスターホイールとスレーブホイールを備える。マスターホイールは、水平駆動モータ８０８２の出力軸で固定され、支持フレーム８００５は、タイミングベルトで固定され、支持フレーム８００５は、支持ビーム８０８１に沿って往復するように水平駆動モータ８０８２とタイミングベルトによって駆動される。
【００７５】
好ましくは、いくつかの実施形態によると、回転軸がプラットフォーム８００４に実装され、プラットフォーム８００４は、応力センサ８００１、屈折流体噴霧機構８００２、及び／または屈折流体パージ機構８００３をガラスパネルＡの試験領域に駆動させて対応する作業を行うように軸を中心に回転することができる。いくつかの実施形態によると、プラットフォーム８００４は、線形運動方式で前記作業を行う。
【００７６】
図９及び図１２に示すように、試験機構は、プラットフォーム８００４を回転させる回転電気モータ８００６を備える。いくつかの実施形態によると、駆動ギア８０６１が回転電気モータ８００６の出力軸の端部に設けられ、駆動ギア８０６１に噛み合う被動ギア８０６２が軸に設けられる。駆動ギア８０６１が回転するとき、プラットフォーム８００４が駆動されて軸を回転させる。
【００７７】
好ましくは、ガラスパネルＡの試験領域を洗浄するために、洗浄組立体８０１１がプラットフォーム８００４に設けられる。いくつかの実施形態によると、応力試験の前に、試験領域は、正確な試験のための屈折流体の均一な分布を確保するため、ガラスパネルの表面の埃及び他の不要な物体を除去するように洗浄組立体８０１１で洗浄される。いくつかの実施形態によると、洗浄は、埃や硬質粒子による損傷から応力センサ８００１を保護する。図１０及び図１４に示すように、洗浄組立体８０１１は、プラットフォーム８００４に設けられてガラスパネルの試験領域を洗浄する。いくつかの実施形態によると、洗浄組立体８０１１は、洗浄ヘッドを駆動させる洗浄モータ８１１１、ガラスパネルを洗浄する複数の洗浄ヘッド８１１２、及び第３のエレベータ８１１３を備える。いくつかの実施形態によると、複数の洗浄ヘッド８１１２は、軸断面の径方向に沿って洗浄モータ８１１１の出力軸に実装され、洗浄モータ８１１１は、第３のエレベータ８１１３を介してプラットフォーム８００４に固定される。
【００７８】
いくつかの実施形態によると、操作中、ガラスパネルＡの表面に埃や他の破片があれば、屈折流体の噴霧前に、第３のエレベータ８１１３は、複数の洗浄ヘッド８１１２がガラスパネルＡの下表面と接触するまで洗浄モータ８１１１を上昇駆動させ、次に、洗浄モータ８１１１が複数の洗浄ヘッド８１１２をガラスパネルＡの表面を洗浄するように駆動し始める。洗浄後、第３のエレベータ８１１３は、洗浄組立体８０１１をリセット位置に駆動させる。いくつかの他の実施形態によると、洗浄組立体８０１１は、かわりにプラットフォーム８００４に設けられる空気ノズル（図示せず）、空気パイプラインを通じて空気ノズルに接続される圧縮空気供給源（図示せず）を備え、ガラスパネルＡの試験領域の洗浄は、ガラスパネルＡの試験領域に圧縮空気をブローすることによって達成される。
【００７９】
いくつかの実施形態によると、操作中、ガラスパネルＡがコンベア８０１０によって応力センサ８００１の下（または上）の位置に移送され、ガラスパネルＡの試験領域が応力センサ８００１のレンズに垂直に整列される。屈折流体噴霧機構が動作を開始し、噴霧器８０２１が応力センサ８００１のレンズ及び／またはガラスパネルの試験領域にある量の屈折流体を噴霧する。回転シリンダ８０２２は、噴霧器８０２１を所定の軸を中心に所定の角度だけ回転させ、屈折流体噴霧機構８００２をリセットして応力センサ８００１に十分な作業スペースを提供する。次に、第１のエレベータ８００７が応力センサ８００１をガラスパネルＡの試験領域と接触するように駆動させ、試験領域に所定の圧力を加えてガラスパネルの試験領域に対して応力試験を完了する。試験が完了した後に、第１のエレベータ８００７は、応力センサ８００１をリセット位置に駆動させる。次に、水平駆動装置８００８は、応力センサ８００１と屈折流体噴霧機構８００２をコンベア８０１０の移送方向に垂直な方向に沿ってガラスパネルＡの次の試験領域に移動するように駆動させるため、プラットフォーム８００４を駆動する。すべての試験が縦方向に沿ってすべての試験領域に完了された後、コンベア８０１０は、他の試験領域に対する試験を続けるためにガラスパネルを所定の距離にわたって変位させる。
【００８０】
本開示の前述の実施形態の手順は、単に例示を目的としたものであり、実施形態の優先順位を示すことを意図するものではない。
【００８１】
ここで、例示された方法において、ステップを削除するか、あるいはステップの順序を変更したり、追加ステップを含むように変更可能であることを、当業者であれば認識できるであろう。本明細書に開示された方法は、データ処理装置、例えば、プログラム可能プロセッサ、コンピュータ、または複数のコンピュータの動作による実行のため、またはその動作を制御するため、コンピュータプログラム製品、すなわち、情報担体、例えば、機械読取可能記憶装置内に有形に実施されたコンピュータプログラムとして実装されてもよい。コンピュータプログラムは、コンパイラ型または解釈型言語をはじめとして、任意の形態のプログラミング言語で作成されてもよく、自立型プログラムまたはモジュール、コンポーネント、サブルーチン、またはコンピューティング環境で使用するのに適した他のユニットをはじめとして任意の形態で配布されてもよい。コンピュータプログラムは、一つのコンピュータで、または一つの場所にある複数のコンピュータで実行できるように、または複数の場所にわたって分散され、通信ネットワークによって相互接続されるように配布されてもよい。
【００８２】
また、本明細書に開示された方法の一部または全部は、特定用途向け集積回路（ＡＳＩＣ）、現場プログラム可能ゲートアレイ（ＦＰＧＡ）、複合プログラム可能論理デバイス（ＣＰＬＤ）、プリント回路基板（ＰＣＢ）、デジタル信号プロセッサ（ＤＳＰ）、プログラマブルロジックコンポーネントとプログラマブルインターコネクトの組み合わせ、単一の中央処理装置（ＣＰＵ）チップ、マザーボードに組み合わされたＣＰＵチップ、汎用コンピュータ、または本明細書に開示された方法を行うことができる装置またはモジュールの任意の他の組み合わせによって実行されてもよい。
【００８３】
なお、本明細書に開示された装置が一部の構成要素を除去するか、あるいは一部の構成要素を一つに組み合わせたり、追加の構成要素を含むように変更可能であることを、当業者であれば認識できるであろう。
前述の説明は、単に本開示の例示的な実施形態に過ぎず、本開示を制限することを意図するものではない。本開示の要旨と原理から逸脱することなく行われる任意の修正、等価置換、及び改善は、本開示の保護範囲に属するものである。
【００８４】
優先権主張及び関連出願
本出願は、それぞれが全体的に参考として組み込まれる下記出願の優先権を主張する：
・発明の名称が「ＧＬＡＳＳ  ＰＡＮＥＬ  ＳＴＲＥＳＳ  ＯＮ−ＰＲＯＤＵＣＴＩＯＮ−ＬＩＮＥ  ＴＥＳＴＩＮＧ  ＭＥＴＨＯＤ」である、２０１７年８月２２日付で出願された中国特許出願第２０１７１０７２５１０８．０号と、
・発明の名称が「ＧＬＡＳＳ  ＰＡＮＥＬ  ＡＮＤ  ＭＡＮＵＦＡＣＴＵＲＩＮＧ  ＭＥＴＨＯＤ  ＴＨＥＲＥＯＦ」である、２０１７年８月２２日付で出願された中国特許出願第２０１７１０７２５１０７．６号と、
・発明の名称が「ＳＹＳＴＥＭ  ＡＮＤ  ＭＥＴＨＯＤ  ＦＯＲ  ＩＮＱＵＩＲＩＮＧ  ＧＬＡＳＳ  ＰＡＮＥＬ  ＭＡＮＵＦＡＣＴＵＲＩＮＧ  ＩＮＦＯＲＭＡＴＩＯＮ」である、２０１７年１２月６日付で出願された中国特許出願第２０１７１１２７６０４５．１号と、
・考案の名称が「ＳＹＳＴＥＭＳ  ＦＯＲ  ＩＮＱＵＩＲＩＮＧ  ＧＬＡＳＳ  ＰＡＮＥＬ  ＭＡＮＵＦＡＣＴＵＲＩＮＧ−ＩＮＦＯＲＭＡＴＩＯＮ」である、２０１７年１２月６日付で出願された中国実用新案出願第２０１７２１６８０７９４．６号と、
・発明の名称が「ＧＬＡＳＳ  ＰＡＮＥＬ  ＳＴＲＥＳＳ  ＴＥＳＴＩＮＧ  ＡＰＰＡＲＡＴＵＳ」である、２０１８年１月２日付で出願された中国特許出願第２０１８１０００１１９５．Ｘ号と、
・考案の名称が「ＧＬＡＳＳ  ＰＡＮＥＬ  ＳＴＲＥＳＳ  ＴＥＳＴＩＮＧ  ＡＰＰＡＲＡＴＵＳ」である、２０１８年１月２日付で出願された中国実用新案出願第２０１８２０００１６９４．４号。
【図１】
2020530166.tif 000003
【図２】
2020530166.tif 000004
【図３】
2020530166.tif 000005
【図４】
2020530166.tif 000006
【図５】
2020530166.tif 000007
【図６】
2020530166.tif 000008
【図７】
2020530166.tif 000009
【図８】
2020530166.tif 000010
【図９】
2020530166.tif 000011
【図１０】
2020530166.tif 000012
【図１１】
2020530166.tif 000013
【図１２】
2020530166.tif 000014
【図１３】
2020530166.tif 000015
【図１４】
2020530166.tif 000016
【国際調査報告】
2020530166.tif 000017
2020530166.tif 000018
2020530166.tif 000019